(57)【要約】【課題】鋼管杭を利用して構成される防潮堤を、現場での作業工程を可及的に低減させて、容易、適切且つ迅速に築造できるようにする。【解決手段】ブロック底面１に防潮堤を構成する既設の鋼管杭Ｐの杭頭部Ｐａの受け入れ開口２を有し、この受け入れ開口２を通じてブロック内空間３に前記杭頭部Ｐａを受け入れ可能に構成されていると共に、ブロック内空間３への杭頭部Ｐａの受け入れ後にこのブロック内空間３にモルタルＭを打ち込むためのこのモルタルＭの注入路７と、このモルタルＭの打ち込みを許容する通気路８とを備えてなる。【選択図】図４
2014145228.tif 000002
【特許請求の範囲】
【請求項１】
ブロック底面に防潮堤を構成する既設の鋼管杭の杭頭部の受け入れ開口を有し、この受け入れ開口を通じてブロック内空間に前記杭頭部を受け入れ可能に構成されていると共に、
前記ブロック内空間への前記杭頭部の受け入れ後にこのブロック内空間にモルタルを打ち込むためのこのモルタルの注入路と、
このモルタルの打ち込みを許容する通気路とを備えてなることを特徴とする防潮堤の基礎部となるプレキャストブロック。
【請求項２】
ブロック内空間の内面が、粗面仕上げされてなることを特徴とする請求項１に記載の防潮堤の基礎部となるプレキャストブロック。
【発明の詳細な説明】
【技術分野】
【０００１】
この発明は、既設の鋼管杭の杭頭部に組み付けられて、防潮堤の壁部を支持する基礎部となるプレキャストブロックに関する。
【背景技術】
【０００２】
水底ないしは水辺の地盤に打ち込まれた鋼管杭を利用して構成される防潮堤がある。かかる防潮堤にあっては、これを構成する陸上ないしは水上部分としての壁部は、前記鋼管杭の杭頭部を芯とするように現場打ちによって形成される基礎部上に構築される。
【発明の概要】
【発明が解決しようとする課題】
【０００３】
この発明が解決しようとする主たる問題点は、鋼管杭を利用して構成される防潮堤を、現場での作業工程を可及的に低減させて、容易、適切且つ迅速に築造できるようにする点にある。
【課題を解決するための手段】
【０００４】
前記課題を達成するために、この発明にあっては、防潮堤の基礎部となるプレキャストブロックを、ブロック底面に防潮堤を構成する既設の鋼管杭の杭頭部の受け入れ開口を有し、この受け入れ開口を通じてブロック内空間に前記杭頭部を受け入れ可能に構成されていると共に、
前記ブロック内空間への前記杭頭部の受け入れ後にこのブロック内空間にモルタルを打ち込むためのこのモルタルの注入路と、
このモルタルの打ち込みを許容する通気路とを備えてなるものとした。
【０００５】
かかる構成によれば、前記受け入れ開口を通じてプレキャストブロックのブロック内空間に既設の鋼管杭の杭頭部を受け入れさせた後、このブロック内空間内に前記注入路を通じてモルタルを打ち込むことにより、プレキャストブロックと既設の鋼管杭の杭頭部とを一体化させて、防潮堤の陸上ないしは水上部分としての壁部を支持する基礎部を既設の鋼管杭上に容易且つ適切に備えさせることができる。
【０００６】
前記プレキャストブロックのブロック内空間の内面は、前記のように打ち込まれたモルタルとプレキャストブロックとの一体性を高める観点からは、粗面仕上げさせておくことが好適である。
【発明の効果】
【０００７】
この発明によれば、鋼管杭を利用して構成される防潮堤を、現場での作業工程を可及的に低減させて、特に現場でのコンクリートの打ち込みを必要最小限にして、容易、適切且つ迅速に築造することができる。
【図面の簡単な説明】
【０００８】
【図１】図１は実施の形態にかかるプレキャストブロックを基礎部として構築された防潮堤の断面構成図である。
【図２】図２は図１におけるＡ−Ａ線位置での断面構成図である。
【図３】図３は前記防潮堤の要部平面構成図である。
【図４】図４は前記防潮堤の要部縦断面構成図である。
【図５】図５は前記防潮堤の要部横断面構成図である。
【発明を実施するための形態】
【０００９】
以下、図１〜図５に基づいて、この発明の典型的な実施の形態について、説明する。この実施の形態にかかるプレキャストブロックＣは、既設の鋼管杭Ｐの杭頭部Ｐａに組み付けられて、防潮堤Ｂの壁部Ｂａを支持する基礎部Ｂｂとなるものである。
【００１０】
図示の例では、列をなすように水辺の地盤Ｇにあらかじめ打ち込まれた複数の鋼管杭Ｐ、Ｐ…の杭頭部ＰａにそれぞれプレキャストブロックＣを、隣り合うプレキャストブロックＣ、Ｃ同士を密着させるようにして組み付けて、これら複数のプレキャストブロックＣ、Ｃ…から防潮堤Ｂの基礎部Ｂｂを構成させている。
【００１１】
各プレキャストブロックＣはそれぞれ、ブロック底面１に前記鋼管杭Ｐの杭頭部Ｐａの受け入れ開口２を有しており、この受け入れ開口２を通じてブロック内空間３に前記杭頭部Ｐａを受け入れ可能に構成されている。
【００１２】
図示の例では、各プレキャストブロックＣは、六面体状をなす主体部４の上部に台状突部５を形成させてなる。かかる主体部４の底面４ａが前記ブロック底面１となっている。台状突部５の前面５ａ（防潮堤Ｂの表側、すなわち、海、湖、あるいは川や水路側）は主体部４の前面４ｂと同面をなし、台状突部５の側面５ｂは主体部４の側面４ｃと同面をなしている。台状突部５の天面５ｃは主体部４の天面４ｄの上方に位置し、台状突部５の後面５ｄによってプレキャストブロックＣの上部には段差６が形成されている。
【００１３】
図示の例では、前記ブロック内空間３は、前記主体部４の前側と後側とにそれぞれ形成されており、したがって、各プレキャストブロックＣはそれぞれ、二箇所の受け入れ開口２、２を有している。ブロック内空間３は、前記受け入れ開口２を穴口として、上方に続き、穴奥端３ａを主体部４の天面４ｄ下に位置させた丸穴状を呈しており、鋼管杭Ｐの外径より穴径をやや大きくしている。図示の例では、各プレキャストブロックＣはそれぞれ、その前側に設けられたブロック内空間３に鋼管杭Ｐの杭頭部Ｐａを受け入れさせ、かつ、その後側に設けられたブロック内空間３に前記鋼管杭Ｐの後方に配された鋼管杭Ｐの杭頭部Ｐａを受け入れさせるようにして、水辺の地盤Ｇ上に設置されるようになっている。
【００１４】
図示の例では、リング状をなすと共に、その内径を鋼管杭Ｐの外径と略等しくし、かつ、その外径を前記受け入れ開口２の開口径よりも大きくしたプレート体Ｌを、鋼管杭Ｐの杭頭部Ｐａに取り付けた後に、このプレート体Ｌよりも上方に位置される杭頭部Ｐａを前記ブロック内空間３に受け入れさせるようにして、このプレート体Ｌを後述のように注入されるモルタルＭの受け部材とするようにしている。なお、図中符号Ｌａはかかるプレート体Ｌの下面を支持するブラケットである。このようなプレート体Ｌを用いずに、プレキャストブロックＣの設置される地盤Ｇ上にこの設置に先立って基礎コンクリートを打設するようにしても良い。
【００１５】
また、この実施の形態にかかるプレキャストブロックＣは、前記ブロック内空間３への前記杭頭部Ｐａの受け入れ後にこのブロック内空間３にモルタルＭを打ち込むためのこのモルタルＭの注入路７と、このモルタルＭの打ち込みを許容する通気路８とを備えている。（図４）
【００１６】
図示の例では、前記注入路７は、主体部４の天面４ｄとブロック内空間３の受け入れ開口２近傍の箇所との間に亘ってこの主体部４内に形成された貫通穴として構成されている。また、前記通気路８は、主体部４の天面４ｄとブロック内空間３の穴奥端３ａとの間に亘ってこの主体部４内に形成された貫通穴として構成されている。注入路７の断面積は通気路８の断面積よりも大きくなっている。かかる注入路７及び通気路８はプレキャストブロックＣの製造時に形成される。
【００１７】
前記受け入れ開口２を通じてプレキャストブロックＣのブロック内空間３に既設の鋼管杭Ｐの杭頭部Ｐａを受け入れさせた後、このブロック内空間３内に前記注入路７を通じてモルタルＭを打ち込むことにより、プレキャストブロックＣと既設の鋼管杭Ｐの杭頭部Ｐａとを一体化させて、防潮堤Ｂの陸上ないしは水上部分としての壁部Ｂａを支持する基礎部Ｂｂを既設の鋼管杭Ｐ上に容易且つ適切に備えさせることができる。図示の例では、杭頭部Ｐａとブロック内空間３との間には、この杭頭部Ｐａの全周と上方とに間隙が形成されるようになっており、この間隙にモルタルＭが注入されるようになっている。典型的には、かかるプレキャストブロックＣの鋼管杭Ｐ内にもプレキャストブロックＣの設置に先立ちコンクリートが打ち込み詰められる。前記のように通気路８を設けておけば、この通気路８からのモルタルＭの漏れ出しをもって前記ブロック内空間３にモルタルＭが充填されきったことを容易に認識することができる。
【００１８】
前記プレキャストブロックＣのブロック内空間３の内面、少なくとも前記穴奥端３ａ以外の穴周側面３ｂは、前記のように打ち込まれたモルタルＭとプレキャストブロックＣとの一体性を高める観点からは、粗面仕上げさせておくことが好ましい。かかる粗面仕上げは、典型的には、いわゆる洗い出しや、チッピングによってなされる。
【００１９】
また、前記のように打ち込まれるモルタルＭと鋼管杭Ｐの杭頭部Ｐａとの一体性を高める観点からは、かかるモルタルＭの注入前に鋼管杭Ｐの外周に周回リングを固着させるなどシアキーを設けておくことが好ましい。
【００２０】
前記のように設置されるプレキャストブロックＣの上に、図示の例では、前記台状突部５上に、防潮堤Ｂの陸上ないしは水上部分としての壁部Ｂａが載置される。図中符号Ｗは水面、符号Ｇ’は水底地盤を示している。図示の例では、防潮堤Ｂの陸上ないしは水上部分としての壁部Ｂａも、プレキャストブロックＣ’により構成するようにしている。前記基礎部ＢｂとなるプレキャストブロックＣと壁部ＢａとなるプレキャストブロックＣ’とは図示しない継ぎ手金具によって連結される。また、隣り合う壁部ＢａとなるプレキャストブロックＣ’、Ｃ’同士は、典型的には、ＰＣ鋼棒を用いてその側部同士を密着させるようにする。
【符号の説明】
【００２１】
Ｂ  防潮堤
Ｐ  鋼管杭
Ｐａ  杭頭部
Ｍ  モルタル
１  ブロック底面
２  受け入れ開口
３  ブロック内空間
７  注入路
８  通気路
【図１】
2014145228.tif 000003
【図２】
2014145228.tif 000004
【図３】
2014145228.tif 000005
【図４】
2014145228.tif 000006
【図５】
2014145228.tif 000007